(57)【特許請求の範囲】
【請求項１】
個室の内外を仕切る扉部における人の目線に応じた位置に設けられる透光性面状発光モジュールと、
電源部と、
前記透光性面状発光モジュールを発光制御する制御部と、
前記個室内の状態を検知する検知部と、
を有し、前記制御部によって前記透光性発光モジュールへの通電がなされている状態では、前記透光性面状発光モジュールは両面発光して光の透過を遮断し、かつ前記個室内に光を照射して照明し、前記制御部によって前記透光性面状発光モジュールへの通電が停止されると、前記透光性面状発光モジュールは透明の状態に復帰する透光性表示装置であって、
前記検知部は、前記個室内に人が在室している間、センシングをし続けおり、
前記制御部は、
前記個室内における人の在室が前記検知部によって検知され続けている期間において、前記在室している人によって前記透光性面状発光モジュールが強制消灯されない限り、前記透光性面状発光モジュールへの通電を継続し、
前記検知部によって前記人の在室が検知されなくなると、前記透光性面状発光モジュールへの通電を停止することを特徴とする透光性表示装置。
【発明の詳細な説明】
【技術分野】
【０００１】
本発明は、個室の内外を仕切る扉部に設けられて個室を人が使用する際に個室の使用を表示するとともに個室の照明を行う透光性表示装置に関する。
【背景技術】
【０００２】
従来の透光性表示装置の一例として、トイレや化粧室等の個室の使用状態や緊急時の内部の状態を外部から確認できるようにするために、光源に対向する開口部に導光板を備えたレンズを取り付けた透光性表示装置が知られている（例えば、特許文献１参照）。
【０００３】
【特許文献１】特開２００８−１０２６１号公報（図２、段落００１２）
【発明の開示】
【発明が解決しようとする課題】
【０００４】
ところが、上記特許文献１に開示された透光性表示装置では、個室の在室状態の表示が小さく目立たない。
また、在室状態を外部から確認するために大きな窓を設けた場合、その窓を通じて個室内が見えてしまうので使用者のプライバシーを害することになりかねず、採用が好ましくない。
【０００５】
本発明は、前述した要望を満たすためになされたもので、その目的は、非在室時に外部から室内を確認することができるとともに在室時に外部から見えなくすることができる透光性表示装置を提供することにある。
【課題を解決するための手段】
【０００６】
本発明に係る透光性表示装置は、個室の内外を仕切る扉部における人の目線に応じた位置に設けられる透光性面状発光モジュールと、電源部と、前記透光性面状発光モジュールを発光制御する制御部と、前記個室内の状態を検知する検知部と、を有し、前記制御部によって前記透光性発光モジュールへの通電がなされている状態では、前記透光性面状発光モジュールは両面発光して光の透過を遮断し、かつ前記個室内に光を照射して照明し、前記制御部によって前記透光性面状発光モジュールへの通電が停止されると、前記透光性面状発光モジュールは透明の状態に復帰する透光性表示装置であって、前記検知部は、前記個室内に人が在室している間、センシングをし続けおり、前記制御部は、前記個室内における人の在室が前記検知部によって検知され続けている期間において、前記在室している人によって前記透光性面状発光モジュールが強制消灯されない限り、前記透光性面状発光モジュールへの通電を継続し、前記検知部によって前記人の在室が検知されなくなると、前記透光性面状発光モジュールへの通電を停止することを特徴とする。
【０００７】
透光性面状発光モジュールは、通電されないと光を透過し、通電されると両面発光して光を透過させない。よって、個室の非在室時に、検知部によって人の存在を検知せずに制御部より透光性面状発光モジュールに通電しないことで個室内を外側から確認することができ、これに反して、個室の在室時に、検知部によって人の存在を検知して制御部より透光性面状発光モジュールに通電することで光の透過を遮断して個室内を外部から見えなくするとともに個室の在室を外部に表示することができ、透光性面状発光モジュールの発光によって個室内を照射して照明することができる。また、大型の透光性面状発光モジュールを適用したとしても、在室時に室内を見えなくすることができるとともに、非在室時に室内の目視確認を確実に行うことができる。
【発明の効果】
【０００８】
本発明の透光性表示装置によれば、個室の内外を仕切る扉部に設けられる透光性面状発光モジュールと、電源部と、透光性面状発光モジュールを発光制御する制御部と、個室内の状態を検知する検知部と、を有し、制御部は、検知部が個室の内側での人の存在を検知した場合に透光性面状発光モジュールを発光させ、他の場合に透光性面状発光モジュールを消光させる。
これにより、非在室時に外部から室内を確認することができるとともに在室時に外部から見えなくすることができるという効果を有する。
【発明を実施するための最良の形態】
【０００９】
以下、本発明の実施形態に係る透光性表示装置について、図面を参照して説明する。
【００１０】
本発明の一実施形態である透光性表示装置１０は、個室１１を仕切る扉体１２に設けられる透光性面状発光モジュール１３と、電源部１４と、透光性面状発光モジュール１３に通電を行う制御部１５と、個室１１内の状態を検知する検知部１６と、を備える。ここで、個室１１とは、在室しているか否かの確認を外部から行える、トイレや試着室等のプライバシーを保護するべき空間を意味する。
【００１１】
図１に示すように、扉体１２は図１中の右側面に一対の蝶番部材１７，１７を取り付けた左外開きのドアであって、その左方の中央部に開閉用操作ノブ１８を有する。そして、扉体１２は、その左方の上部に開口部１９を形成しており、この開口部１９に透光性面状発光モジュール１３を取り付けている。
【００１２】
開口部１９は、人の目線に応じた位置に、扉体１２の表面積に対して比較的大きい開口面積を有して形成されている。
【００１３】
図２に示すように、扉体１２は、上框２０と、下框２１と、左右の横框２２，２３と、からなる枠体２４に、室外側板２５と、室内側板２６と、を取り付けている。扉体１２は、室内側板２６に制御部収納用開口部２７を形成しており、室外側板２５と室内側板２６との上部に開口部１９を配置している。
【００１４】
開口部１９は、例えば四角形に形成されており、透光性面状発光モジュール１３の外周に嵌め込まれた枠部材２８を取り付けている。
【００１５】
透光性面状発光モジュール１３は、透光性を有する不図示の面状基板上に同じく透光性を有する不図示の一対の面状外装パネルを積層した有機ＥＬパネル等の発光体である。透光性面状発光モジュール１３は、通電されないと透明であって光を透過し、通電されると例えば白色や黄色に両面発光して光を透過させない。
【００１６】
透光性面状発光モジュール１３は、中央部に配置された発光部２９と、発光部２９の外周を囲む非発光部３０と、を有する。非発光部３０は枠部材２８に不図示の緩衝用ラバー等を介して取り付けられることで人の目線に応じた位置に配置される。
【００１７】
電源部１４と制御部１５と検知部１６とは制御部ケース３１内に収納されており、制御部ケース３１はカバー板３２に固定されている。制御部ケース３１は、室内側板２６の制御部収納用開口部２７を介して扉体１２内に収容してから、カバー板３２を室内側板２６に固定することで扉体１２の内部に隠れて設置される。
【００１８】
制御部ケース３１には、制御部１５に電気的に接続された強制消灯スイッチ３３を設けており、この強制消灯スイッチ３３をカバー板３２から室内側に突出配置している。
【００１９】
強制消灯スイッチ３３は、ワンウェイ式の押しボタンスイッチであり、在室中の人によって押下されることにより制御部１５にオフ信号を与える。
【００２０】
電源部１４は、不図示の外部電源に電気的に接続されており、制御部１５に常時通電する。ここで、外部電源に接続できない場所に扉体１２を設置する場合には、制御部ケース３１内に一次電池や二次電池を収容してもよく、二次電池を用いる場合には太陽光発電装置等に接続して常時充電を行うようにしてもよい。
【００２１】
制御部１５は、制御回路およびタイマ回路を構成する複数の素子を有し、検知部１６の端子が例えばローレベルの検知レベルになったときに透光性面状発光モジュール１３に所定の電流を供給し、検知部１６の検知レベルがハイレベルであるときは透光性面状発光モジュール１３への通電を行わない。なお、検知レベルはローレベルとハイレベルとを逆に設定しても良い。
【００２２】
検知部１６は、赤外線を放射し、その赤外線が人に反射して戻ってきた際の波長を集電素子により検出して人の存在を検知することにより検知レベルをローレベルにし、人の存在を検知しないときには検知レベルをハイレベル（ローレベル）にする人体センサや、扉体１２が閉状態から開状態に切り替わったときに検知レベルをローレベル（ハイレベル）にし、扉体１２が開状態から閉状態に切り替わったときに検知レベルをハイレベルにするドアセンサ、或いは不図示のドアキーがロックされたときに検知レベルをローレベルにし、ドアキーがアンロックされたときに検知レベルをハイレベルにするロックセンサ等のセンサ部材である。
【００２３】
つぎに、図３を参照して透光性表示装置１０の制御動作の一例について説明する。なお、この動作説明では検知部１６として人体センサを適用した場合について説明する。
【００２４】
制御が開始され、個室１１内に人がおらず非在室状態であると、検知部１６は人の存在を検知せずに待機状態となる（ステップ１０１）。
【００２５】
このとき、透光性面状発光モジュール１３は通電されないために透明であって光を透過する。そのため、個室１１を使用しようとする人に対して、透明な透光性面状発光モジュール１３を通じて個室内を外部から確認することで個室１１が「空状態」であることを表示する。
【００２６】
使用しようとする人が扉体１２を開けて個室１１内に入り扉体１２を閉めると、検知部１６は人の存在を検知して検知レベルをローレベルにするために、制御部１５より透光性面状発光モジュール１３に所定の電流を供給する。これにより、透光性面状発光モジュール１３は両面発光して光を透過させない（ステップ１０１→ステップ１０２）。
【００２７】
このとき、透光性面状発光モジュール１３の両面発光により光の透過を遮断して個室１１が「在室状態」であることを個室１１の外部に表示する一方、透光性面状発光モジュールの両面発光によって個室１１内を照射して照明する。
【００２８】
個室１１内に人が在室している間に、検知部１６はセンシングを続けており、個室１１内に人が存在する間に強制消灯スイッチ３３が押下されないかぎり、制御部１５より透光性面状発光モジュール１３への通電を続ける（ステップ１０２→ステップ１０３→ステップ１０５→ステップ１０２）。
【００２９】
個室１１に在室している人が用事を済ませ、扉体１２を開けて個室１１から外に出ると、検知部１６は人の存在を検知しなくなって検知レベルをハイレベルにするために、制御部１５は透光性面状発光モジュール１３への通電を停止する（ステップ１０３→ステップ１０４）。
【００３０】
透光性面状発光モジュール１３は消光されることで透明の状態に復帰し、個室１１が「空状態」であることを外部に表示し、個室１１内に人がおらず非在室状態であるために、検知部１６は人の存在を検知せずに待機状態となる（ステップ１０１）。
【００３１】
ここで、個室１１内に在室している人が用事を済ませ、扉体１２を開けて個室１１から外に出る前に強制消灯スイッチ３３を押下すると、制御部１５内のタイマが作動を開始して時間を計測し始める（ステップ１０２→ステップ１０３→ステップ１０５→ステップ１０６）。タイマは制御部１５に内蔵されたクロックパルス等を用いた計測手段であり、例えば１０秒のタイマ時間を設定している。
【００３２】
そのためタイマがタイムアップするまでの例えば１０秒間は透光性面状発光モジュール１３への通電を続行し、タイマのタイムアップに伴って制御部１５は透光性面状発光モジュール１３への通電を停止する（ステップ１０６→ステップ１０４）。
【００３３】
このように、個室１１の非在室時に個室１１内を外部から確認することができ、これに反して、個室１１の在室時に光の透過を遮断して個室１１内を外部から見えなくするとともに個室１１の在室を外部に表示することができる。
【００３４】
また、在室時にのみ、個室１１内を照射して照明することができるとともに、個室１１内に別途照明装置を設置する必要がなくなるために、消し忘れを防止するとともに電気の無駄使いを防止することができる。
【００３５】
また、大型の透光性面状発光モジュール１３を適用して、在室時に室内を見えなくすることができるとともに、非在室時に室内の目視確認を確実に行うことができる。
【００３６】
なお、前記実施形態で使用した扉体１２、透光性面状発光モジュール１３などの形状は例示したものに限定するものではなく適宜変更が可能である。
【図面の簡単な説明】
【００３７】
【図１】本発明に係る透光性表示装置を設置した扉体の室外側斜め上方から視た外観斜視図
【図２】本発明に係る透光性表示装置を設置した扉体の垂直断面図
【図３】本発明に係る透光性表示装置の制御動作を説明するフローチャート
【符号の説明】
【００３８】
１０  透光性表示装置
１１  個室
１２  扉体（扉部）
１３  透光性面状発光モジュール
１４  電源部
１５  制御部
１６  検知部
【図１】
0005288593.tif 000002
【図２】
0005288593.tif 000003
【図３】
0005288593.tif 000004